(57)【要約】 【課題】異なる２方向に位置調整が可能な２部材の締結構造を提供する。【解決手段】第１部材１には、第１の方向に延びる第１長穴１２が形成されており、第２部材２には、前記第１の方向とは異なる第２の方向に延びる第２長穴２２が形成されており、第２部材２の第２面側２１には、可動ナット３が、回転が規制された状態で第２長穴２２に沿って第２の方向に移動可能に設けてあり、第１部材１の第２面１１と第２部材２の第１面２０とを対向させ、第１部材１の第１面側１０から第１長穴１２を挿通する螺子４の雄ねじ部４２を可動ナット３の雌ねじ部３２に締めつけることで、第１部材１と第２部材２とを締結する。【選択図】図１
2010106910.tif 000002
【特許請求の範囲】
【請求項１】
第１部材と第２部材の締結構造において、
前記第１部材は、互いに対向する第１面と第２面を有すると共に、第１の方向に延びる第１長穴が形成されており、
前記第２部材は、互いに対向する第１面と第２面を有すると共に、前記第１の方向とは異なる第２の方向に延びる第２長穴が形成されており、
前記第２部材の第２面側には、可動ナットが、回転が規制された状態で前記第２長穴に沿って第２の方向に移動可能に設けてあり、
前記第１部材の前記第２面と前記第２部材の前記第１面とを対向させ、前記第１部材の第１面側から前記第１長穴を挿通する螺子の雄ねじ部を前記可動ナットの雌ねじ部に締めつけることで、前記第１部材と前記第２部材とを締結してなる、
２部材の締結構造。
【請求項２】
前記第２部材は、回動体の戸先側端壁であり、前記可動ナットは前記戸先側端壁の内側に位置しており、
前記第１部材は、前記回動体の戸先側縦枠の前記回動体の前記戸先側端壁に対向する側壁であり、前記側壁の内面が前記第１部材の前記第１面となっている、
請求項１に記載の２部材の締結構造。
【発明の詳細な説明】
【技術分野】
【０００１】
本発明は、２部材の締結構造に関するものである。
【背景技術】
【０００２】
従来、ねじやボルトによる２部材の締結において、一方の部材の裏面側に手が入らない場合には、ナット等を使用することができないため、タップ穴またはポップナット等を用いる必要がある。
【０００３】
例えば、一方の部材にタップ穴を形成する手法において、２部材の締結位置を微調整したい場合には、他方の部材の螺子の挿通穴を長穴から形成することで、長穴内で位置調整可能であるが、長穴の方向は一方向に限定されてしまう。したがって、２方向（例えば、水平方向及び垂直方向）において位置調整を行なうことはできない。
【０００４】
特許文献１には、２つの取付穴を交差させて、その共通した穴部分にボルトを通し、ナットで挟み締め付けて結合する結合方法が開示されている。しかしながら、このものは、ボルトを通した後でナットを締めることが前提となっており、一方の部材の裏面側に手が入らない場合には適用することができない。
【特許文献１】特開平６−１１７４２３
【発明の開示】
【発明が解決しようとする課題】
【０００５】
本発明の目的は、２部材の締結構造において、特に、一方の部材の裏面側にアクセスすることができないような場合であっても、異なる２方向に位置調整が可能な２部材の締結構造を提供することにある。
【課題を解決するための手段】
【０００６】
本発明が採用した技術手段は、
第１部材と第２部材の締結構造において、
前記第１部材は、互いに対向する第１面と第２面を有すると共に、第１の方向に延びる第１長穴が形成されており、
前記第２部材は、互いに対向する第１面と第２面を有すると共に、前記第１の方向とは異なる第２の方向に延びる第２長穴が形成されており、
前記第２部材の第２面側には、可動ナットが、回転が規制された状態で前記第２長穴に沿って第２の方向に移動可能に設けてあり、
前記第１部材の前記第２面と前記第２部材の前記第１面とを対向させ、前記第１部材の第１面側から前記第１長穴を挿通する螺子の雄ねじ部を前記可動ナットの雌ねじ部に締めつけることで、前記第１部材と前記第２部材とを締結してなる、
２部材の締結構造、である。
【０００７】
１つの態様では、
前記第２部材は、回動体（後述する実施形態では袖パネル）の戸先側端壁であり、前記可動ナットは前記戸先側端壁の内側に位置しており、
前記第１部材は、前記回動体の戸先側縦枠の前記回動体の前記戸先側端壁に対向する側壁であり、前記側壁の内面が前記第１部材の前記第１面となっている。
【発明の効果】
【０００８】
本発明の締結構造において、第１の方向の微調整は、螺子の軸部を第１長穴に沿って移動することで行なわれ、第２の方向の微調整は、螺子の軸部の雄ねじ部が螺合された可動ナットを第２長穴に沿って移動することで行なわれる。したがって、第１の方向と第２の方向の２方向において、第１部材と第２部材の位置調節を行なうことができる。
【０００９】
本発明の締結構造では、前記第１部材の前記第２面と前記第２部材の前記第１面とを対向させ、前記第１部材の第１面側から前記第１長穴を挿通する螺子の雄ねじ部を前記可動ナットの雌ねじ部に螺合させることで、第１の方向及び第２の方向の位置調節が可能な仮固定状態を得ることができ、位置調節後に前記螺子をさらに前記可動ナットに締めつけることで第１部材と第２部材とを締結することができるので、作業性も良好である。この場合、前記第２の方向が水平方向であることが、可動ナットが自重で移動することがないため、有利である。
【発明を実施するための最良の形態】
【００１０】
本発明の実施形態を図１乃至図５に基づいて詳細に説明する。第１部材１は、互いに対向する第１面１０と第２面１１を有する板状部材であり、第１部材１には、垂直方向に延びる第１長穴１２が形成されている。第２部材２は、互いに対向する第１面２０と第２面２１を有する板状部材であり、第２部材２には、水平方向に延びる第２長穴２２が形成されている。第１部材１、第２部材２は、ある部材の部分であってもよい。また、図示の態様では、互いに対向する第１面と第２面は平行状の平面であるが、第１面と第２面とは概ね対向していれば、必ずしも平行である必要はなく、また、各面は平面でなくてもよい。
【００１１】
第２部材２の第２面２１側には、可動ナット３が、回転が規制された状態で第２長穴２２に沿って水平方向に移動可能に設けてある。図３乃至図５に示すように、可動ナット３は、扁平状の直方体からなる本体３０と、本体３０の一側の面部３００に突設された挿入部３１と、を備え、本体３０及び挿入部３１を貫通するように雌ねじ部３２が形成されている。本体３０の形状は、第２部材の第２面２１に当接する平面状の面部３００を備えているものであれば、その形状は限定されない。
【００１２】
図示の態様では、挿入部３１の外形は８角形であり、平行状に対向する水平面３１Ａ、３１Ｂが長穴２２の上下の水平状の縁部２２Ａ、２２Ｂに当接することで、可動ナット３が螺子４と共回りすることを防止している。挿入部３１の形状は、可動ナット３が螺子４と共回りすることを防止できる形状であれば８角形に限定されるものではなく、図示の長穴２２については、対向する水平面を上下に有するものであれば、他の形状であってもよい。
【００１３】
図３に示すように、挿入部３１の先端には上下に位置して舌片３１０が延出形成されている。図４に示すように、挿入部３１を第２部材２の第２面２１側から第２長穴２２内に挿入し、本体３０の面部が第２部材２の第２面２１に当接した時に、舌片３１０は第２部材２の第１面２０を越えて突出しており、舌片３１０の突出部を第２部材２の第１面２０に重なるように折り返すことで、可動ナット３が第２部材２に装着される（図５参照）。可動ナット３を第２部材２に装着するにあたり、舌片は必ずしも必須構成要素ではなく、他の構成を採用し得ることは当業者に理解される。
【００１４】
現場において第２部材２が所定部位に組み込まれた時に、第２部材２の第２面２１側へのアクセスができないような場合には、第２部材２は、予め可動ナット３が装着された状態（図５参照）で現場に搬入される。また、可動ナット３の本体３０の面部３００を粗面形成したり、あるいは、微細な凸部を形成したりすることで、可動ナット３の可動性を妨げない範囲で、第２部材２への密着性を高めてもよい。また、面部３００、第２部材２の第２面部２１のいずれか一方に凹部、他方に凸部を設けて、凹部に凸部が嵌ることで共回りを防止してもよい。
【００１５】
第１部材１と第２部材２を締結するための螺子４は、頭部４０と、軸部４１と、軸部４１の周面に形成された雄ねじ部４２とからなり、螺子４の雄ねじ部４２が可動ナット３の雌ねじ部３２に螺合するようになっている。尚、本明細書において螺子４とは、軸部に雄ねじ部を有する部材を意味し、ボルト等も含まれる。
【００１６】
より具体的には、第１部材１の第２面１１と第２部材２の第１面２０とを対向させ、第１部材１の第１面１０側から、螺子４の軸部４１を第１の長穴１２に挿通させ、軸部４１の周面に形成された雄ねじ部４２を可動ナット３の雌ねじ部３２に螺合することで、第１部材１と第２部材２とが仮固定される。
【００１７】
仮固定の状態において、第１部材１と第２部材２との間の相対的な位置の垂直方向の微調整は、少なくとも一方の部材を垂直方向に移動させる時に、螺子４の軸部４１が第１長穴１２に沿って移動することで行なわれ、第１部材１と第２部材２との間の相対的な位置の水平方向の微調整は、少なくとも一方の部材を水平方向に移動させる時に、螺子４の軸部４１の雄ねじ部４２が螺合された可動ナット３が第２長穴２２に沿って移動することで行なわれる。したがって、図示の態様では、垂直方向と水平方向の２方向において、第１部材１と第２部材２の位置調節を行なうことができる。第１部材１と第２部材２との位置調節を行なった後で、螺子４の雄ねじ部４２を可動ナット３の雌ねじ部３２にさらに締め付けることで、第１部材１と第２部材とが締結される。
【００１８】
本発明に係る２部材の締結構造は、特に、第１部材１と第２部材２との締結時に、第２部材２の裏面側（第２面２１側）にアクセスすることができないような構造に対して有効に適用される。
【００１９】
より具体的な実施形態について図６乃至図８に基づいて説明する。図６は、袖パネル付き扉体の正面図、図７は袖パネル付き扉体の横断面図である。建物躯体に設けた四周状の枠体には左右の縦枠７，８と平行して垂直方向に延出する中縦枠９が設けてあり、中縦枠９を境に左右の一方が扉体５によって開閉される建物開口部となっており、他方には袖パネル６が回動自在に設けられる。
【００２０】
扉体５は、一方の側部が丁番５ａを介して縦枠７に連結してあり、縦枠７を戸尻側として建物開口部を開閉する。扉体５の面部には、戸先側に近接して、取手５ｂが設けてある。扉体５の内部には戸先側に近接して錠前装置が内装されている。施錠時には、扉体５に内装された錠前装置の図示しないラッチが扉体５の戸先側の端面５０から突出する。
【００２１】
袖パネル６は、パネルの見付面を構成する前面部６０と、パネルの見込面を構成する左右の端壁６１，６２を備えている。袖パネル６の前面部６０の戸先側は端壁６２を越えて延出しており、中縦枠９の前面の一部を被覆している。袖パネル６の前面部６０には、適宜、室名札、インターフォンパネル、上部ガイド（新聞受）等が設けられる。袖パネル６の戸尻側は、縦枠８に対して隠し丁番６ａを介して回動可能に装着されている。
【００２２】
中縦枠９は、左右の縦枠７，８間に位置して垂直方向に延出する中空状（内部空間は必ずしも密閉されている必要はなく、内部空間が開口を介して外部と連通するものも含む）の長尺部材であり、扉体５の戸先側の端面５０に対向する側壁９０と袖パネル６の戸先側端壁６２に対向する側壁９１とを有しており、中縦枠９は、扉体５および袖パネル６の戸先側縦枠を兼用している。
【００２３】
中縦枠９の扉体５に面する側壁９０には、扉体５の錠前装置のラッチおよび／あるいはデッドボルトが突出する位置に合わせて切欠部９００が形成されており、切欠部９００にはストライク９０１が着脱可能に装着されている。
【００２４】
中縦枠９の袖パネル６の戸先側端壁６２に面する側壁９１には、側壁９０の切欠部９００に対応する位置に、垂直方向に延びる第１長穴が貫設されており、ストライク９０１を取り外した状態では、切欠部９００を介して第１長穴に挿通された螺子４の頭部４０が露出することになる。
【００２５】
一方、袖パネル６の戸先側端壁６２には、側壁９１の第１長穴に対応する位置に水平方向に延びる第２長穴２２が形成されている。戸先側端壁６２の内側には予め可動ナット３が第２長穴２２に沿って水平方向に移動可能に設けてある。
【００２６】
中縦枠９の中空部側から、螺子４の軸部を側壁９１の第１長穴を挿通させ、螺子４の軸部の雄ねじ部を、可動ナット３の雌ねじ部に螺合させることで、側壁９１と袖パネル６の戸先側端壁６２とを仮固定することができる。
【００２７】
この仮固定の状態において、螺子４は第１長穴内で垂直方向に位置調節可能であり、また、螺子４は、螺子４の軸部が螺合されている可動ナット３が第２長穴２２内で水平方向に移動することによって、水平方向に位置調節可能である。より具体的には、垂直方向の位置調節は、中縦枠９に対する袖パネル６の高さ方向の位置を調節するものであり、水平方向の位置調節は、扉体５の面部に対する袖パネル６の前面部６０の位置（典型的には両者を面一とする）を調節するものである。袖パネル６の位置調節を行なった後で、螺子４をさらに可動ナット３に締めつけることで、袖パネル６の戸先側端壁６２と中縦枠９の側壁９１とを締結する。
【００２８】
常時は、袖パネル６の戸先側端壁６２は螺子４・可動ナット３によって中縦枠９の側壁９１に締結されており、袖パネル６は前面部６０が扉体５の面部と略面一の状態で枠体内に納まっている。螺子４を取り外すと、袖パネル６の戸先側は自由端となり、袖パネル６は縦枠８を戸尻側として隠し丁番６ａを介して回動自在となる。
【産業上の利用可能性】
【００２９】
本発明は、螺子を用いた２部材の締結に用いることができる。
【図面の簡単な説明】
【００３０】
【図１】本発明に係る締結構造を示す縦断面図である。
【図２】図１を螺子の頭部側から見た図である。また、垂直方向に延びる第１長穴を斜線で示している。
【図３】第２部材の水平方向に延びる長穴への可動ナットの装着を説明する図である。
【図４】第２部材の水平方向に延びる長穴への可動ナットの装着を説明する図である。
【図５】第２部材の水平方向に延びる長穴に装着された可動ナットを示す図である。
【図６】本発明に係る２部材の締結構造を採用した袖パネル付き扉体の正面図である。
【図７】本発明に係る２部材の締結構造を採用した袖パネル付き扉体の横断面図である。
【図８】袖パネル付き扉体に採用された２部材の締結構造を説明する図である。
【符号の説明】
【００３１】
１    第１部材
１２  第１長穴
２    第２部材
２２  第２長穴
３    可動ナット
３２  雌ねじ部
４    螺子
４２  雄ねじ部
【図１】
2010106910.tif 000003
【図２】
2010106910.tif 000004
【図３】
2010106910.tif 000005
【図４】
2010106910.tif 000006
【図５】
2010106910.tif 000007
【図６】
2010106910.tif 000008
【図７】
2010106910.tif 000009
【図８】
2010106910.tif 000010